(57)【要約】【課題】駐車場に駐車してある自動車に車椅子からまたは車椅子のまま容易に乗り移れる玄関構造を提供する。【解決手段】玄関１の玄関土間１ｂには、玄関ホール１ａから玄関ポーチ１ｃに向けて下方に傾斜して該玄関ポーチ１ｃに接続されたスロープ１１が設けられており、玄関ポーチ１ｃは前記駐車場８に隣接配置されるとともに、この駐車場８の床面８ｃより１段高くなっており、玄関ポーチ１ｃの床面１ｄは、駐車場８に駐車された自動車Ａのフロアとほぼ等しい高さ位置となっている。したがって、障害者は車椅子Ｋからまたは車椅子Ｋのまま自動車Ａに容易に乗り移ることができる。【選択図】図１
2009221705.tif 000002
【特許請求の範囲】
【請求項１】
玄関の横に駐車場が設けられた玄関構造であって、
前記玄関の玄関土間には、玄関ホールから玄関ポーチに向けて下方に傾斜して該玄関ポーチに接続されたスロープが設けられており、
前記玄関ポーチは前記駐車場に隣接配置されるとともに、この駐車場の床面より１段高くなっており、
前記玄関ポーチの床面は、前記駐車場に駐車された自動車のフロアとほぼ等しい高さ位置となっていることを特徴とする玄関構造。 
【請求項２】
請求項１に記載の玄関構造において、
前記玄関ポーチには、前記駐車場に駐車された自動車と玄関ポーチの先端部との間の隙間に、少なくとも一部が配置されるプレートが設けられていることを特徴とする玄関構造。 
【請求項３】
請求項２に記載の玄関構造において、
前記プレートは、前記玄関ポーチの床面に前後にスライド可能に設けられていることを特徴とする玄関構造。
【請求項４】
請求項２に記載の玄関構造において、
前記プレートは、前記玄関ポーチの床面に一端部を支点として上下に回転可能に設けられていることを特徴とする玄関構造。
【請求項５】
請求項１〜４のいずれか一項に記載の玄関構造において、
前記駐車場は、ビルトイン駐車場であることを特徴とする玄関構造。
【発明の詳細な説明】
【技術分野】
【０００１】
本発明は、玄関ホールから玄関土間に向けて下方に傾斜するスロープが設けられた玄関構造に関する。
【背景技術】
【０００２】
玄関ホールから玄関土間に向けて下方に傾斜するスロープが設けられた玄関構造の一例として特許文献１に記載の建物が知られている。この建物では、障害者等が車椅子に乗ったまま玄関ホールからスロープを経て玄関土間に下りることができる。
また、玄関ホールを通ることなく、玄関土間に下りることができる玄関構造の一例として特許文献２に記載の玄関構造が知られている。この玄関構造では、玄関土間の側面側に該玄関土間よりは一段高い床面との間を緩やかにつなぐスロープが設けられており、この床面からスロープを経て玄関土間に下りることができる。
【特許文献１】特開２００３−４１７４８号公報
【特許文献２】特開２００１−１８２３４３号公報
【発明の開示】
【発明が解決しようとする課題】
【０００３】
ところで、上記いずれの玄関構造においても、障害者等が車椅子に乗ったまま玄関土間に下りることはできるが、そこから駐車場まで行って自動車に乗り込むのに負担や手間がかかる。また、自動車のフロアは駐車場の床より高くなっているので、障害者等が車椅子から自動車の座席に乗り移るのに負担がかかる。また、車椅子ごと自動車に乗り移る場合、駐車場の床にスロープを設けたり、自動車に車椅子を昇降させる装置を取り付けたりする必要がある。
【０００４】
本発明は上記事情に鑑みてなされたもので、駐車場に駐車してある自動車に車椅子からまたは車椅子のまま容易に乗り移れる玄関構造を提供することを課題としている。
【課題を解決するための手段】
【０００５】
上記課題を解決するために、請求項１に記載の発明は、例えば図１および図２に示すように、玄関１の横に駐車場８が設けられた玄関構造であって、
前記玄関１の玄関土間１ｂには、玄関ホール１ａから玄関ポーチ１ｃに向けて下方に傾斜して該玄関ポーチ１ｃに接続されたスロープ１１が設けられており、
前記玄関ポーチ１ｃは前記駐車場８に隣接配置されるとともに、この駐車場８の床面８ｃより１段高くなっており、
前記玄関ポーチ１ｃの床面１ｄは、前記駐車場８に駐車された自動車Ａのフロアとほぼ等しい高さ位置となっていることを特徴とする。
【０００６】
請求項１に記載の発明によれば、車椅子Ｋに乗った障害者は、玄関ホール１ａからスロープ１１を経て玄関ポーチ１ｃまで容易に行くことができる。そして、玄関ポーチ１ｃは駐車場８に隣接配置されるとともに、この駐車場８の床面８ｃより１段高くなっており、前記玄関ポーチ１ｃの床面１ｄは、前記駐車場８に駐車された自動車Ａのフロアとほぼ等しい高さ位置となっているので、障害者は車椅子Ｋからまたは車椅子Ｋのまま自動車Ａに容易に乗り移ることができる。
スロープ１１が玄関ホール１ａから玄関土間１ｂを越えて玄関ポーチ１ｃまで延在しているので、該スロープ１１の傾斜を小さく抑えることができ、車椅子Ｋでの行き来が容易となる。
【０００７】
請求項２に記載の発明は、請求項１に記載の玄関構造において、
前記玄関ポーチ１ｃには、前記駐車場８に駐車された自動車Ａと玄関ポーチ１ｃの先端部との間の隙間に、少なくとも一部が配置されるプレート１６が設けられていることを特徴とする。
【０００８】
請求項２に記載の発明によれば、駐車場８に駐車された自動車Ａと、玄関ポーチ１ｃの先端部との間の隙間にプレート１６の少なくとも一部を配置することによって、このプレート１６まで車椅子Ｋ等を乗せて、自動車Ａに近づけることができ、自動車Ａへの乗り移りがさらに容易となる。
【０００９】
請求項３に記載の発明は、例えば図３〜図５に示すように、請求項２に記載の玄関構造において、
前記プレート１６は、前記玄関ポーチ１ｃの床面１ｄに前後にスライド可能に設けられていることを特徴とする。
【００１０】
請求項３に記載の発明によれば、玄関ポーチ１ｃ上においてプレート１６を前方にスライドすることによって、駐車場８に駐車された自動車Ａと、玄関ポーチ１ｃの先端部との間の隙間にプレート１６の少なくとも一部を容易に配置でき、また、プレート１６を後方にスライドすることによって、プレート１６を玄関ポーチ１ｃ上に戻すことができる。
【００１１】
請求項４に記載の発明は、例えば図６に示すように、請求項２に記載の玄関構造において、
前記プレート２１は、前記玄関ポーチ１ｃの床面１ｄに一端部を支点として上下に回転可能に設けられていることを特徴とする。
【００１２】
請求項４に記載の発明によれば、一端部を支点としてプレート１６を玄関ポーチ１ｃの先端側に向けて回転させることによって、駐車場８に駐車された自動車Ａと玄関ポーチ１ｃの先端部との間の隙間にプレート２１の少なくとも一部（他端部）を容易に配置でき、また、一端部を支点としてプレート２１を玄関ポーチの奥側に向けて回転させることによって、プレート２１を玄関ポーチ１ｃ上に戻すことができる。
【００１３】
請求項５に記載の発明は、請求項１〜４のいずれか一項に記載の玄関構造において、
前記駐車場８は、ビルトイン駐車場８であることを特徴とする。
【００１４】
請求項５に記載の発明によれば、駐車場８がビルトイン駐車場８であるので、雨等の天候の影響を受けることなく、車椅子Ｋから自動車Ａに容易に乗り移ることができる。
【発明の効果】
【００１５】
本発明によれば、玄関の玄関土間に、玄関ホールから玄関ポーチに向けて下方に傾斜して該玄関ポーチに接続されたスロープが設けられ、前記玄関ポーチは駐車場に隣接配置されるとともに、この駐車場の床面より１段高くなっており、前記玄関ポーチの床面は、前記駐車場に駐車された自動車のフロアとほぼ等しい高さ位置となっているので、障害者は車椅子からまたは車椅子のまま自動車に容易に乗り移ることができる。
【発明を実施するための最良の形態】
【００１６】
以下図面を参照して本発明の実施の形態について説明する。
図１は本発明に係る玄関構造を備えた建物の１階の平面図を示す。
図１に示すように、建物の１階の南東の角部には玄関１が設けられている。玄関１の玄関ホール１ａには南北に延在する廊下２の南側の端部が接続されており、該廊下２の西側には階段室が配置されており、この階段室に２階に至る階段３と、この階段３の下の収納部４とが配置されている。
【００１７】
前記廊下２の東側にはサニタリールーム５が配置されている。サニタリールーム５は、洗面室兼トイレ５ａと、浴室５ｂとによって構成されており、洗面室兼トイレ５ａと廊下２を仕切る壁に出入口５ｃが設けられている。
１階の北西の角部には部屋６が配置されている。この部屋６は寝室として使用されるもので、ウォークインクローゼット６ａを有している。このウォークインクローゼット６ａは部屋６の寝室となる部分の東側に配置されており、出入口６ｂからウォークインクローゼット６ａに出入りできるようになっている。
【００１８】
また、建物の西面には、外壁から窪んで外部に開放された中庭７が配置されており、この中庭７を挟んで前記部屋６とビルトイン駐車場８とが南北に離間して対向配置されている。中庭７の床にはデッキ材が敷設されている。
また、中庭７に面するビルトイン駐車場８を形成する外壁には、中庭７とビルトイン駐車場とを行き来可能とする開口部９が設けられている。この開口部９にはサッシ等の戸ははめ込まれていないが、必要に応じてはめ込んでもよい。
前記ビルトイン駐車場８は玄関１の西側に配置されており、このビルトイン駐車場８の西側の壁８ａは、前記玄関１を形成する壁１０と平行に配置されている。ビルトイン駐車場８の自動車の出入口８ｂは、前記壁８ａと壁１０との間に設けられている。壁１０は玄関土間１ｂと玄関ポーチ１ｃとの境界部に設けられた壁である。
【００１９】
前記玄関１の玄関土間１ｂには、スロープ１１が設けられている。このスロープ１１は平面視Ｌ字型に形成されたものであり、玄関ホール１ａから玄関ポーチ１ｃに向けて下方に傾斜するように設けられている。また、スロープ１１は、その幅が、車椅子Ｋの幅より広くなっており、車椅子Ｋによって容易に通れるようになっている。
また、玄関土間１ｂには、靴や傘等を収納する収納家具１２が玄関１の壁１３との間に所定の間隔を隔てて設けられている。そして、前記スロープ１１は、収納家具１２と壁１３との間を通り、さらに玄関１の壁１４に沿って配置され、その先端部が玄関ポーチ１ｃに滑らかに接続されている。
【００２０】
玄関１の壁１０には、玄関戸１５が設けられている。この玄関戸１５は引違い式の戸であり、一方の引戸１５ａを他方の引戸１５ｂ側に引き寄せることによって、玄関土間１ｂと玄関ポーチ１ｃとの間を行き来可能とし、他方の引戸１５ｂを一方の引戸１５ａ側に引き寄せることによって、スロープ１１と玄関ポーチ１ｃとの間を行き来可能としている。
前記玄関ポーチ１ｃは、図２に示すように、前記ビルトイン駐車場８に隣接配置されるとともに、該ビルトイン駐車場８の床面８ｃより１段高くなっている。また、玄関ポーチ１ｃの床面１ｄは、ビルトイン駐車場８に駐車された自動車Ａのフロアとほぼ等しい高さ位置となっている。
【００２１】
また、前記玄関ポーチ１ｃには、ビルトイン駐車場８に駐車された自動車Ａと、玄関ポーチ１ｃの先端部との間の隙間に、少なくとも一部が配置されるプレート１６が設けられている。
また、プレート１６は、玄関ポーチ１ｃの床面１ｄに以下のようにして前後にスライド可能に設けられている。
【００２２】
すなわち、図３および図４に示すように、玄関ポーチ１ｃの床面には１ｄには、平面視矩形状の凹溝１７が形成されており、この凹溝１７の左右内壁面の上部には、中央に向けて突出する突出部１７ａ，１７ａが形成されている。また、凹溝１７は玄関ポーチ１ｃの先端面に開口している。
凹溝１７の左右の幅はプレート１６の左右の幅とほぼ等しいか若干大きくなっており、また、凹溝１７の深さはプレート１６の厚さより深くなっており、さらに、突出部１７ａの下面と凹溝１７の底面との間の距離は、プレート１６の厚さとほぼ等しいか若干大きくなっている。なお、プレート１６はその上面縁部に側板が形成された構成となっており、前記プレート１６の厚さはプレート１６の上面と側板の下面との間の寸法である。さらに、プレート１６の前後の長さは、凹溝１７の前後の長さとほぼ等しいか若干小さくなっている。
【００２３】
そして、プレート１６は、玄関ポーチ１ｃの先端面から凹溝１７に挿入されており、該凹溝１７に押し込まれた状態では、図３（ａ）および図５（ａ）に示すように、プレート１６の先端面が玄関ポーチ１ｃの先端面とほぼ面一なっている。つまり、プレート１６は凹溝１７内に全て納まっている。また、プレート１６の左右両側部は、突出部１７ａ，１７ａの下面と凹溝１７の底面との間に挿入されており、突出部１７ａ，１７ａによって上から押えられている。
また、プレート１６は、その先端部を凹溝１７から前方（図３および図５において左方）に引き出すことによって、図３（ｂ）および図５（ｂ）に示すように、玄関ポーチ１ｃの先端部から突出して、ビルトイン駐車場８に駐車された自動車Ａと、玄関ポーチ１ｃの先端部との間の隙間に、先端部が配置されるようになっている(図１参照)。
なお、玄関ポーチ１ｃの先端面には、図３に示すように、凹部１８が前記凹溝１７の底面に開口するようにして形成されており、この凹部１８に指を差し込んで、プレート１６の先端の側板に引っ掛けて、プレート１６を前方に引き出すことができる。
【００２４】
本実施の形態の玄関構造によれば、車椅子Ｋに乗った障害者は、玄関ホール１ａからスロープ１１を経て玄関ポーチ１ｃまで行くことができる。そして、玄関ポーチ１ｃはビルトイン駐車場８に隣接配置されるとともに、このビルトイン駐車場８の床面より１段高くなっており、玄関ポーチ１ｃの床面１ｄは、ビルトイン駐車場８に駐車された自動車Ａのフロアとほぼ等しい高さ位置となっているので、障害者は車椅子Ｋからまたは車椅子Ｋのまま自動車Ａに容易に乗り移ることができる。
また、スロープ１１が玄関ホール１ａから玄関土間１ｂを越えて玄関ポーチ１ｃまで延在しているので、該スロープ１１の傾斜を小さく抑えることができ、車椅子Ｋでの行き来が容易となる。
【００２５】
さらに、玄関ポーチ１ｃには、ビルトイン駐車場８に駐車された自動車Ａと玄関ポーチ１ｃの先端部との間の隙間に、先端部が配置されるプレート１６が設けられているので、このプレート１６の先端部まで車椅子Ｋ等を乗せて、自動車Ａに近づけることができ、自動車Ａへの乗り移りがさらに容易となる。
また、プレート１６は、玄関ポーチ１ｃの床面１ｄに前後にスライド可能に設けられているので、玄関ポーチ１ｃ上においてプレート１６を前方にスライドすることによって、ビルトイン駐車場８に駐車された自動車Ａと、玄関ポーチ１ｃの先端部との間の隙間にプレート１６の先端部を容易に配置でき、また、プレート１６を後方にスライドすることによって、プレート１６を玄関ポーチ１ｃ上に戻すことができる。
また、玄関ポーチ１ｃに隣接してビルトイン駐車場８が設けられているので、雨等の天候の影響を受けることなく、車椅子Ｋから自動車Ａに容易に乗り移ることができる。
【００２６】
なお、本実施の形態では、プレート１６を玄関ポーチ１ｃの床面１ｄに前後にスライド可能に設けたが、これに代えて、プレートを玄関ポーチ１ｃの床面に一端部を支点として上下に回転可能に設けてもよい。
すなわち、図６に示すように、玄関ポーチ１ｃの床面１ｄには、平面視矩形状の凹所２０が形成されており、この凹所２０にプレート２１が設けられている。凹所２０の深さはプレート２１の厚さとほぼ等しくなっており、また、凹所２０の左右の幅は、プレート２１の左右の幅とほぼ等しいか若干大きくなっている。さらに、凹所２０の前後の長さは、プレート２１の前後の長さより所定長さだけ長くなっている。
【００２７】
前記プレート２１は、その一端部が凹所２０の前後の中央部より前方側に位置するようにして配置されている。そして、プレート２１の一端部には、軸２１ａが設けられており、この軸２１ａは凹所２０の内壁面に形成された孔に、軸回りに回転可能に挿入されている。したがって、プレート２１は軸２１ａを支点として上下に回転可能となっている。つまり、プレート２１は軸２１ａを支点として、玄関ポーチ１ｃの上面側において、１８０°回転可能となっている。
また、プレート２１の一端部の下方に位置する凹所２０の底面には、溝部２２が凹所２０の幅方向に延在して形成されており、プレート２１が軸２１ａを支点として回転する際に、プレート２１の一端部が溝部２２に入りこむことによって、プレート２１がスムーズに回転するようになっている。
そして、プレート２１は、図６（ａ）に示す状態から、図６（ｂ）に示す状態まで回転させることによって、先端部が玄関ポーチ１ｃの先端から突出して、ビルトイン駐車場８に駐車された自動車Ａと玄関ポーチ１ｃの先端部との間の隙間に配置されるようになっている。なお、プレート２１の他端部には、取手２１ｂが設けられており、プレート２１を回転させるときは、この取手２１ｂを掴んで行うことで、プレート２１を容易に回転させることができる。
【００２８】
このようなプレート２１は、通常は図６（ａ）に示すように、プレート２１の他端部が玄関ポーチ１ｃの奥側（図６において右側）に位置するようにして、凹所２０に水平に配置されている。そして、プレート２１を使用する際は、プレート２１をその一端部を支点として玄関ポーチ１ｃの先端側に向けて玄関ポーチ１ｃの床面まで回転させることによって、ビルトイン駐車場８に駐車された自動車Ａと玄関ポーチ１ｃの先端部との間の隙間にプレート２１の先端部を容易に配置でき、また、一端部を支点としてプレート２１を玄関ポーチ１ｃの奥側に向けて玄関ポーチ１ｃの床面まで回転させることによって、プレート２１を玄関ポーチ１ｃ上に戻すことができる。
【００２９】
なお、本実施の形態では、プレート２１を玄関ポーチ１ｃの床面に一端部を支点として上下に回転可能に設けたが、その代わりに、プレートを玄関ポーチ１ｃの先端部に、上端部を支点として上下に回動可能に設けてもよい。その場合、プレートを水平にした状態を保持するための保持部材をプレートと玄関ポーチ１ｃの先端面との間に設けるか、あるいはプレートを回転自在に支持する軸部にプレートを水平にした状態を保持するための保持部材を設ければよい。また、プレートは使用しない状態では、下方に回転して玄関ポーチ１ｃの先端面に沿うことになる。
【００３０】
図７〜図９は、前記プレート１６に代えて、プレート２６を玄関ポーチ１ｃの床面１ｄに設けた場合を示している。
すなわち、図７〜図９に示すように、プレート２６は、複数の長尺部材２７・・・と長尺部材２８・・・とを交互に並べて構成されたものであり、両側には長尺部材２７，２７が配置されている。
長尺部材２７・・・は玄関ポーチ１ｃの床面１ｄに形成された凹所２９に配置されたうえで、この凹所２９の底面に固定されている。つまり、長尺部材２７・・・は所定間隔（長尺部材２８と等しい幅間隔）で平行離間して配置されたうえで、凹所２９の底面に固定されている。長尺部材２７を凹所２９の底面に固定するには、例えば、長尺部材２７の上面からアンカーを凹所２９の床面まで打ち込めばよい。
【００３１】
長尺部材２８・・・は、玄関ポーチ１ｃの床面１ｄに形成された凹所２９に配置されたうえで、この凹所２９から前方（図７および図８において左方）に出没自在に設けられている。つまり、長尺部材２８・・・は玄関ポーチ１ｃの床面に前後にスライド可能に設けられている。
長尺部材２８は隣り合う長尺部材２７，２７の間に配置されており、これら長尺部材２８・・・の先端部は連結部材３０によって連結されている。これによって、複数の長尺部材２８・・・は櫛状に形成された櫛状プレート３１となって、一体的にスライドするようになっている。
また、連結部材３０の前面には、ゴム等の軟質部材３２が取り付けられている。この軟質部材３２は連結部材２０の長手方向に沿って長尺な部材であり、櫛状プレート３１が前方にスライド（突出）した際に、連結部材３０が直接自動車に衝突するのを防止するためのものである。
【００３２】
また、櫛状プレート３１を構成する長尺部材２８は、凹所２９に固定された長尺部材２７に摺動自在に係合している。
すなわち、長尺部材２８は、図８および図９に示すように、横断面が矩形状の四角筒状のものであり、その両側面には、スリット状の溝２８ａが長尺部材２８の長手方向に沿って形成されている。
一方、長尺部材２７は、横断面が長尺部材２８と同様の矩形状の四角筒状のものであり、その両側面には、スライダ２７ａが形成されており、このスライダ２７ａが溝２８ａに相対的に摺動自在に係合している。これによって、櫛状プレート３１は前後にスライド可能であり、かつ上方への抜け出が防止されている。
前記スライダ２７ａの長さは溝２８ａよりも短くなっており、このスライダ２７ａは長尺部材２８が最も前方（左方）に突出した際に、溝２８ａの右側の端部に当接して、長尺部材２８のそれ以上の突出と前方への抜け出を防止し、長尺部材２８が凹所２９に納まった際に、溝２８ａの左側の端部に当接するようになっている。
なお、凹所２９に配置された長尺部材２７・・・のうち両側の長尺部材２７には一方の側面、つまり長尺部材２８側を向く側面にのみスライダ２７ａが形成されている。
【００３３】
また、前記長尺部材２７と長尺部材２８とは上下の高さが凹所２９の深さとほぼ等しくなっており、これによって、長尺部材２７の上面と長尺部材２８の上面は、玄関ポーチ１ｃの床面１ｄと面一となっている。つまり、凹所２９に配置したプレート２６はその上面が床面１ｄと面一となっている。
さらに、長尺部材２７の幅と長尺部材２８の幅は等しくなっており、かつ、車椅子Ｋの車輪の太さより狭くなっている。したがって、櫛状プレート３１が前方に突出することによって、隣り合う長尺部材２７，２７との間に隙間（長尺部材２８の幅分の隙間）が形成されても、この隙間に車椅子Ｋの車輪がはまり込まないようになっている。
【００３４】
そして、前記櫛状プレート３１は、その先端部を凹所２９から前方（図８および図９において左方）に引き出すことによって、玄関ポーチ１ｃの先端部から突出して、ビルトイン駐車場８に駐車された自動車Ａと、玄関ポーチ１ｃの先端部との間の隙間に、先端部が配置されるようになっている。
なお、玄関ポーチ１ｃの先端面には、図８に示すように、凹部１８が前記凹所２９の底面に開口するようにして形成されており、この凹部１８に指を差し込んで、櫛状プレート３１の先端の側板に引っ掛けて、櫛状プレート３１を前方に引き出すことができる。
【００３５】
なお、以上の実施の形態では、玄関ポーチ１ｃに、プレート１６，２１，２６を設けたが、このプレート１６，２１，２６は設けなくてもよく、また、プレート１６，２１，２６の代わりに、ビルトイン駐車場８に駐車された自動車Ａと玄関ポーチ１ｃの先端部との間の隙間に位置する駐車場８の床面に、上面が玄関ポーチ１ｃの床面とほぼ面一となる踏み台を設置してもよい。
【図面の簡単な説明】
【００３６】
【図１】本発明に係る玄関構造の一例を示すもので、玄関構造を備えた建物の１階の平面図である。
【図２】同、側断面図である。
【図３】同、玄関ポーチの側断面図であり、（ａ）はプレートを玄関ポーチに収めた状態を示す図、（ｂ）はプレートを引き出した状態を示す図である。
【図４】同、玄関ポーチの正断面図である。
【図５】同、玄関ポーチの平面図であり、（ａ）はプレートを玄関ポーチに収めた状態を示す図、（ｂ）はプレートを引き出した状態を示す図である。
【図６】同、プレートの変形例を示す玄関ポーチの側断面図であり、（ａ）はプレートを玄関ポーチに収めた状態を示す図、（ｂ）はプレートを突出させた状態を示す図である。
【図７】同、プレートの他の変形例を示す玄関ポーチの平面図であり、（ａ）はプレートを玄関ポーチに収めた状態を示す図、（ｂ）はプレートを引き出した状態を示す図である。
【図８】同、玄関ポーチの側断面図であり、（ａ）はプレートを玄関ポーチに収めた状態を示す図、（ｂ）はプレートを引き出した状態を示す図である。
【図９】同、玄関ポーチの要部の正断面図である。
【符号の説明】
【００３７】
１  玄関
１ａ  玄関ホール
１ｂ  玄関土間
１ｃ  玄関ポーチ
１ｄ  床面
８  ビルトイン駐車場
８ｃ  床面
１１  スロープ
１６，２１，２６  プレート
３１  櫛状プレート
【図１】
2009221705.tif 000003
【図２】
2009221705.tif 000004
【図３】
2009221705.tif 000005
【図４】
2009221705.tif 000006
【図５】
2009221705.tif 000007
【図６】
2009221705.tif 000008
【図７】
2009221705.tif 000009
【図８】
2009221705.tif 000010
【図９】
2009221705.tif 000011